(57)【要約】【課題】  軒樋を接続した際に見栄えを損うことのない軒樋曲がり継手を提供すること。【解決手段】  軒樋曲がり継手１は、継手本体２の両端から延設されて軒樋２０に嵌合する嵌合部３を備え、嵌合部３が軒樋２０の内周面に当接するように挿入されて嵌合する際に継手本体２の外周面３９と軒樋２０の外周面４０とが面一になるように、嵌合部３の外周面３１が軒樋２０の周壁３５の肉厚幅だけ継手本体２の外周面３９より内側に窪んで形成されている。【選択図】      図１
2005146743.tif 000002
【特許請求の範囲】
【請求項１】
継手本体の両端から延設されて軒樋に嵌合する嵌合部を備え、
該嵌合部が前記軒樋の内周面に当接するように挿入されて嵌合する際に前記継手本体の
外周面と前記軒樋の外周面とが面一になるように、前記嵌合部の外周面が前記軒樋の周壁
の肉厚幅だけ前記継手本体の外周面より内側に窪んで形成されていることを特徴とする軒
樋曲がり継手。
【発明の詳細な説明】
【技術分野】
【０００１】
本発明は、相交差する軒樋のそれぞれに嵌合して両軒樋を連結させる軒樋曲がり継手に
関する。
【背景技術】
【０００２】
屋根に軒樋を設ける際に、屋根のコーナー部で相交差する軒樋を連結するものとして、
軒樋曲がり継手が従来より知られている。この軒樋曲がり継手は、例えば、平面略Ｌ字形
状に形成され、その両端にそれぞれ軒樋が取り付けられるようになっている（例えば、特
許文献１参照）。
【０００３】
この特許文献１に記載の軒樋継手（軒樋曲がり継手）は、軒樋継手の両端から軒樋を軒
継手の内側に挿入して軒樋の耳部に軒樋継手の係止部を嵌合させることにより軒樋と接続
するようになっている。
【特許文献１】実開昭６４−５７２２７号公報
【発明の開示】
【発明が解決しようとする課題】
【０００４】
しかしながら、特許文献１に記載のような従来の軒樋曲がり継手では、軒樋と接続した
際に軒樋曲がり継手と軒樋との継ぎ目部分に段差が生じるため、この継ぎ目部分が外観上
現れる。特に、屋外に取り付けられることが通常である軒樋では、日照方向によって段差
による影が生じるため、軒樋曲がり継手と軒樋との継ぎ目部分はより顕著に現れることと
なる。これにより、軒樋曲がり継手によって軒樋が連結されていることも外見から容易に
視認することができ、著しく見栄えに劣る。
【０００５】
本発明は、このような問題に鑑みてなされたもので、軒樋と接続した際に軒樋の見栄え
を損うことのない軒樋曲がり継手を提供することを課題としている。
【課題を解決するための手段】
【０００６】
このような課題を解決するために、請求項１に記載の発明は、継手本体の両端から延設
されて軒樋に嵌合する嵌合部を備え、該嵌合部が前記軒樋の内周面に当接するように挿入
されて嵌合する際に前記継手本体の外周面と前記軒樋の外周面とが面一になるように、前
記嵌合部の外周面が前記軒樋の周壁の肉厚幅だけ前記継手本体の外周面より内側に窪んで
形成されていることを特徴とする。
【発明の効果】
【０００７】
請求項１の発明によれば、嵌合部が軒樋の内周面に当接するように挿入されて嵌合する
際に継手本体の外周面と軒樋の外周面とが面一になるように、嵌合部の外周面が軒樋の周
壁の肉厚幅だけ継手本体の外周面より内側に窪んで形成されているので、継手本体の外周
面と軒樋の外周面とが平坦な状態で連続してつながり、従来の軒樋曲がり継手と比べて、
軒樋曲がり継手と軒樋との継ぎ目部分がほとんど目立たない。したがって、軒樋曲がり継
手によって軒樋が連結されていることも外見からはほとんど視認されず、軒樋が一体とな
って屈曲しているように見えるため、軒樋曲がり継手によって軒樋と接続した際にも軒樋
の見栄えを損なうことがない。
【発明を実施するための最良の形態】
【０００８】
以下、図面を参照して本発明の実施の形態について説明する。  
【０００９】
図１は、本発明の実施の形態に係る軒樋曲がり継手を、その両端に接続される軒樋とと
もに示す。この軒樋曲がり継手１は、継手本体２と、嵌合部３とを備えている。継手本体
２は、平面略Ｌ字形状に形成されている。また、継手本体２の略Ｌ字形状に延びた底壁４
の前側部からは前側壁５が起立するとともに、後側部からは後側壁６が起立して内側に溝
７が形成され排水路の一部をなすようになっている。さらに、前側壁５は外側に向けて若
干膨出して形成されるとともに、上端縁部８が外側に向けて突出した形状となっている。
【００１０】
嵌合部３は、継手本体２の周壁９（底壁４、前側壁５及び後側壁６）から延設されて、
継手本体２の延在方向の両端に形成されている。嵌合部３の底壁１０は、継手本体２の底
壁４が一旦内側（溝７側）に屈曲されて形成された段部１１からさらに継手本体２の延在
方向に延設されて形成されている。また、同様に、嵌合部３の前側壁１２は、継手本体２
の前側壁５が一旦内側に屈曲されて形成された段部１３からさらに継手本体２の延在方向
に延設されて形成され、嵌合部３の後側壁１４は、継手本体２の後側壁６が一旦内側に屈
曲されて形成された段部１５からさらに継手本体２の延在方向に延設されて形成されてい
る。
【００１１】
段部１１、段部１３及び段部１５の幅（段差）は軒樋２０の周壁３５（底壁２１、前側
壁２２及び後側壁２３）の肉厚幅と略同一となっている。すなわち、これらの段差によっ
て、嵌合部３の周壁３４（底壁１０、前側壁１２及び後側壁１４）は、軒樋２０の周壁３
５の肉厚幅だけ継手本体２の周壁９より内側に窪んだ状態となっている（換言すれば、嵌
合部３の外周面３１（底外面１６、前側外面１７及び後側外面１８）は、軒樋２０の周壁
３５の肉厚幅だけ継手本体２の外周面３９（底外面２４、前側外面２６及び後側外面２８
）より内側に窪んだ状態となっている。）。これによって、嵌合部３が軒樋２０と嵌合し
た際に、継手本体２の外周面３９と軒樋２０の外周面４０とが（より詳細には、継手本体
２の底外面２４と軒樋２０の底外面２５、継手本体２の前側外面２６と軒樋２０の前側外
面２７、継手本体２の後側外面２８と軒樋２０の後側外面２９がそれぞれ）面一になるよ
うになっている。
【００１２】
また、嵌合部３の前側壁１２の上端縁部には外側に向けて突出した係止突部３０が形成
されて、嵌合部３が軒樋２０と嵌合した際に、後述する軒樋２０の係止溝３２に係止する
ようになっている。
【００１３】
軒樋２０は、直線状に延びた底壁２１の前側部から前側壁２２が起立するとともに、後
側部からは後側壁２３が起立して内側に排水路となる溝３３が形成されている。また、前
側壁２２は、継手本体２の前側壁５と同様の断面弧状を描くように外側に向けて若干膨出
している。さらに、前側壁２２の上端縁部１９は断面略矩形状に屈曲されて内側に係止溝
３２を形成している。
【００１４】
図２のように、この軒樋２０に軒樋曲がり継手１を嵌合させ接続させる際は、まず図１
に示すように、軒樋２０の溝３３と継手本体２の溝７とが連結するように、軒樋２０と嵌
合部３とを相対向する位置に配する。つぎに、嵌合部３を軒樋２０の溝３３内に挿入する
と、嵌合部３の外周面３１が軒樋２０の周壁３５の内周面に当接した状態で（図３参照）
、嵌合部３がスライドして溝３３内に進入していく。このとき、嵌合部３の係止突部３０
も軒樋２０の係止溝３２内にスライドしつつ進入していき、係止突部３０が係止溝３２に
係止する。そして、軒樋２０の開口端面４１が軒樋曲がり継手１の段部１１の側外面３６
、段部１３の側外面３７及び段部１５の側外面３８に当接して、軒樋２０に軒樋曲がり継
手１が完全に嵌合されて接続される。
【００１５】
この実施の形態に係る軒樋曲がり継手１では、嵌合部３の外周面３１が軒樋２０の周壁
３５の肉厚幅だけ継手本体２の外周面３９より内側に窪んで形成されているので、嵌合部
３が軒樋２０と嵌合した際に、継手本体２の底外面２４と軒樋２０の底外面２５とが、ま
た継手本体２の前側外面２６と軒樋２０の前側外面２７とが、さらに継手本体２の後側外
面２８と軒樋２０の後側外面２９とがそれぞれ面一となる。このため、継手本体２の外周
面３９と軒樋２０の外周面４０とが平坦な状態で連続してつながり、前述の従来の軒樋曲
がり継手と比べて、軒樋曲がり継手１と軒樋２０との継ぎ目部分がほとんど目立たない。
したがって、軒樋曲がり継手１によって軒樋２０が連結されていることも外見からはほと
んど視認されず、軒樋２０が一体となって屈曲しているように見えるため、軒樋曲がり継
手１によって軒樋２０と接続した際にも軒樋２０の見栄えを損なうことがなく、すっきり
とした美感を保つことができる。
【００１６】
また、軒樋２０に軒樋曲がり継手１が嵌合する際に、係止突部３０が係止溝３２に係止
するようになっているので、軒樋曲がり継手１は軒樋２０によりしっかりと嵌合し、外力
の作用によって容易に外れることがないようになっている。
【００１７】
なお、本発明は上述した実施の形態に限られるものではなく、例えば本実施の形態では
、継手本体２の底外面２４と軒樋２０の底外面２５とが、また継手本体２の前側外面２６
と軒樋２０の前側外面２７とが、さらに継手本体２の後側外面２８と軒樋２０の後側外面
２９とがそれぞれ面一となるものとして説明したが、少なくとも軒樋２０を屋根に取り付
けた際に視認されやすい箇所である前側外面２６と前側外面２７、又は底外面２４と底外
面２５とが面一であればよい。
【図面の簡単な説明】
【００１８】
【図１】本発明の実施の形態に係る軒樋曲がり継手と、この軒樋曲がり継手の両端に接続される軒樋とを示す斜視図である。
【図２】軒樋曲がり継手が軒樋に接続した状態を示す斜視図である。
【図３】軒樋曲がり継手と軒樋との嵌合状態を示す図２のＡ−Ａ’位置における端面図である。
【符号の説明】
【００１９】
１      軒樋曲がり継手
２      継手本体
３      嵌合部
２０      軒樋
３１      （嵌合部の）外周面
３５      （軒樋の）周壁
３９      （継手本体の）外周面
４０      （軒樋の）外周面
【図１】
2005146743.tif 000003
【図２】
2005146743.tif 000004
【図３】
2005146743.tif 000005